(57)【要約】座標測定機、フレキシブルゲージなどの計測装置（１００）で使用することが可能である固定装置（２）について説明する。固定装置（２）は、ベース（４）と、物体（７０）を保持するよう構成されるベースから延びる複数のサポートとを備える。複数のサポートの少なくとも１つは、装置に負荷されている物体（７０）と接触することによってベース（４）に対して移動可能であるフローティングサポートエレメント（４０，５０，６０）を含む、フローティングサポート（３０，３２，３４）を含む。ベース（４）に対して各フローティングサポートエレメント（３０，３２，３４）を固定するよう作動させることが可能である空気ロック機構などのロック機構（４４，５４，６４）が提供される。物体（７０）は、ガラス板を含んでよい。また、物体を固定することに対応する方法が説明される。
2021500556.tif 000002
【特許請求の範囲】
【請求項１】
ベースと、物体を保持するよう構成される前記ベースから延伸する複数のサポートとを備える固定装置であって、
前記複数のサポートの少なくとも１つは、フローティングサポートであって、前記フローティングサポートは、前記固定装置に載せられている前記物体と接触することによって前記ベースに対して可動するフローティングサポートエレメントと、前記ベースに対して前記フローティングサポートエレメントを固定するよう作動させることが可能であるロック機構とを含む、フローティングサポートを備えたことを特徴とする固定装置。
【請求項２】
前記複数のサポートの少なくとも１つが固定サポートを含み、各固定サポートが、前記ベースに対して不変の位置を有する固定サポートエレメントを含む、請求項１に記載の装置。
【請求項３】
複数の固定サポートを備える、請求項２に記載の装置。
【請求項４】
前記複数のサポートの少なくとも１つがバイアスサポートを含み、各バイアスサポートがサポートエレメントと、前記サポートエレメントを少なくとも１つの固定サポートに向けてバイアスするバイアス装置とを含む、請求項２または３のいずれか１項に記載の装置。
【請求項５】
少なくとも１つの前記固定サポートおよび少なくとも１つの前記バイアスサポートが、前記物体の運動の各６つの自由度がわずか１つの制約で提供するよう構成される、請求項４に記載の装置。
【請求項６】
前記複数のサポートが複数のフローティングサポートを含む、請求項１ないし５のいずれか１項に記載の装置。
【請求項７】
各フローティングサポートが、アクチュエータがロック解除される場合、前記フローティングサポートエレメントを前記物体が保持される領域に向かってバイアスするバイアス装置を含む、請求項１ないし６のいずれか１項に記載の装置。
【請求項８】
各バイアス装置によって付加される前記バイアス力は、前記固定装置によって保持されている物体がない場合に、前記フローティングサポートエレメントが完全に延伸した状態に達するのに十分である、請求項７に記載の装置。
【請求項９】
各バイアス装置によって付加されるバイアス力が、前記物体にいかなる実質的な歪みを引き起こすことなく前記物体に接触すると、付加された前記フローティングサポートエレメントを格納することが可能となるよう十分に低い、請求項７または８のいずれか１項に記載の装置。
【請求項１０】
前記ロック機構が、前記ベースに対して前記フローティングサポートエレメントを固定するための空気アクチュエータを含む、請求項１ないし９のいずれか１項に記載の装置。
【請求項１１】
前記フローティングサポートエレメントのそれぞれが、前記アクチュエータがロックされている場合、関連する検査装置との接触する間に前記物体に追加の機械的サポートを提供する、請求項１ないし１０のいずれか１項に記載の装置。
【請求項１２】
前記複数のサポートが、前記ベースに取り外し可能に取り付けることができ、それによって、前記固定装置の構成を保持される異なる物体に対して調整されることを可能とする、請求項１ないし１１のいずれか１項に記載の装置。
【請求項１３】
前記複数のサポートが、前記ベース上の固定された位置に提供される、請求項１ないし１２のいずれか１項に記載の装置。
【請求項１４】
測定される物体に対して移動することができる測定プローブを備える計測装置であって、請求項１ないし１３のいずれか１項に記載の固定装置をさらに備える、計測装置。
【請求項１５】
ベースから延びる複数のサポートを備え、前記複数のサポートの少なくとも１つは、フローティングサポートエレメントと、ロック機構とを含む、フローティングサポートであることを特徴とする固定装置を使用して物体を保持するための方法であって、
（ｉ）物体を前記固定装置における所定の位置に配置し、前記物体を、所定の位置へ配置されている間に前記フローティングサポートエレメントに係合して移動するステップと、
（ｉｉ）前記ベースに対して前記フローティングサポートエレメントを固定するよう各フローティングサポートの前記ロック機構を作動させるステップと
を備える方法。
【発明の詳細な説明】
【技術分野】
【０００１】
本発明は、検査のためにコンポーネントを保持するための固定装置に関し、より詳細には、フレキシブルな構成要素を保持するために適切な固定装置に関する。
【背景技術】
【０００２】
従来、座標測定機、ロボットなどの測定装置を用いて物体を検査または計測することが知られている。また、計測されることを可能とするよう測定装置の土台上の画定された位置および方向において計測される物体を保持する固定装置としても知られている。リコンフィギュアブル測定固定装置は、典型的にねじ穴の配列を含む、プレートまたはベースを備える。種々の異なるサポートエレメントは、プレート上のさまざまな位置におけるねじ穴に取り付けて、検査される物体を保持することに適切な固定を構築することが可能である。プレートに取り付けられたサポートエレメントは、手動で調節することができる。例えば、サポートエレメントは、使用するために適切な位置で固定される前に、延伸、格納、および回転され得る。また、サポートエレメントは、物体が固定装置に載せられた後に物体を決められた場所で保持するよう手動で動かすことができるアームを含み得る。一度特定の固定装置の配置が構成されると、次に測定装置によって検査される名目上一連の同一の物体を保持するよう使用され得る。また、示されている固定装置は、特定のタイプの部品を保持することのみに構成されていることが知られている。
【発明の概要】
【発明が解決しようとする課題】
【０００３】
周知の固定解決法は、航空宇宙、自動車、エレクトロニクス、産業および医療への応用などの場面の大部分において十分である。エンジンまたは航空宇宙分野のコンポーネントなどの大きな金属部品を取り付ける場合、部品に歪みまたは損傷するような力を付加することなく、比較的簡単にそのような部品をしっかりと保持する。しかしながら、より小さい、またはよりフレキシブルな物体に対しては、固定によって計測精度を低下し得る物体の歪みを防止するよう物体に付加される力を制限する必要がある。これは特に、計測プローブのスタイラスの先端が、固定によって保持される物体に接触するよう押し付けられる、接触計測プロセスを用いてフレキシブル部品が計測された場合である。現在までに、あるフレキシブルなコンポーネント（例えば、薄板ガラスコンポーネント）が自由な状態から歪むことなく、保持されることを可能とする実用的な解決法が見つかっていない。その一方では、また、コンポーネントの歪みを引き起こすような計測をすることなく、コンポーネントの接触計測を可能にするよう十分なサポートを提供している。
【課題を解決するための手段】
【０００４】
本発明の第１の態様によると、固定装置が提供され、固定装置は、ベースと、物体を保持するよう構成されるベースから延伸する複数のサポートとを備え、複数のサポートの少なくとも１つは、フローティングサポートであって、固定装置に載せられている物体と接触することによってベースに対して可動する、フローティングサポートエレメントと、ベースに対してフローティングサポートエレメントを固定するよう作動させることができる、ロック機構とを含む、フローティングサポートを備えたことを特徴とする。
【０００５】
したがって、本発明は、測定装置またはそのようなものによって検査するために物体を保持することに用いられ得る固定装置に関する。固定装置（または略して「固定装置」とする）は、ベースと、物体を保持するよう構成されるベースから延伸する複数のサポートとを備える。複数のサポートの少なくとも１つは、フローティングサポートが固定装置に載せられている物体と接触することによってベースに対して可動するフローティングサポートエレメントを含む、フローティングサポートを含む。つまり、各フローティングサポートは、固定装置に載せられている物体と接触することによって（例えば、ベースに向けて押される）、自由またはロックされていない状態で、動かせることが可能なフローティングまたは可動サポートエレメントを含む。また、各フローティングサポートは、ベースに対してフローティングサポートエレメントを固定するよう作動させることが可能である、ロック機構を含む。つまり、各フローティングまたは可動サポートエレメントは、ベースに対して固定されている（すなわち、ロック位置にある）、ロック状態を取り入れることが可能である。
【０００６】
本発明の固定装置は、より詳細には、１つまたはそれよりも多いフローティングサポートの提供であり、物体をその自由な状態の（歪められていない）形状に保持することを可能とする。固定装置に物体を挿入する間、各フローティングサポートエレメントは、物体と接触させると単に動く。したがって、フローティングサポートは、物体のいかなる歪みを引き起こすことなく、物体の形状に適合する。一度物体が固定装置に完全に挿入されると、各フローティングサポートのロック機構は、フローティングサポートエレメントを固定するよう作動させることが可能である。フローティングサポートは、ロック状態にあり、その後で固定装置に保持されている物体が機械的にサポートされることになる。（ロックされた）フローティングサポートによって提供される物体の本追加サポートは、例えば、物体が計測プローブをその表面に接触させて計測された場合に引き起こされる物体の歪みの量を減少させる。したがって、本発明の固定装置は、コンポーネント（例えば、薄板ガラスコンポーネントなどのフレキシブルな物体）がそれらの自由な状態から歪むことなく、保持されることを可能とする。その一方では、また、コンポーネントの歪み（例えば、曲げ）を引き起こすようなそれらの計測をすることなく、接触計測をコンポーネントの全体にわたって可能にするよう十分なサポートを提供している。
【０００７】
固定装置は、フローティングサポート以外の１つまたは複数のサポートを含むことができる。有利なことに、複数のサポートのうちの少なくとも１つは、固定サポートを含む。好ましくは、複数の固定サポートが提供される。例えば、少なくとも３つの固定サポートが提供されることができる。各固定サポートは、好ましくは、ベースに対して不変の位置を有する固定サポートエレメントを含む。つまり、各固定サポートエレメントは、ベースから物体が固定装置によって保持される領域に向かって延びる、柱または支柱などの突起物を含むことができる。固定サポートエレメントは、ベースに恒久的に取り付けられることができることに留意されたい。例えば、それは、ベースと一体的に形成され得るか、またはベースに恒久的に取り付けられ（例えば、溶接され）得る。あるいは、各固定サポートエレメントは、ベースから取り外し可能となることができる（例えば、それは、ベースにねじ込まれることができる）。
【０００８】
有利なことに、複数のサポートのうちの少なくとも１つは、バイアスサポートを含む。各バイアスサポートは、好ましくは、サポートエレメントと、サポートエレメントをバイアスするバイアス装置とを含む。好都合なことに、複数のサポートは、少なくとも１つの固定サポートと、少なくとも１つのバイアスサポートとを含む。次に、各バイアスサポートのバイアス装置は、それぞれのサポートエレメントを固定サポートに向かってバイアスすることができる。バイアスサポートは、好ましくは、ロック機構を含まない（すなわち、使用時にバイアス力が維持され、物体を固定装置内に保持する）。少なくとも１つのバイアスサポートによって加えられるバイアス力は、ベースの平面に平行であってよい。つまり、バイアスサポートは、物体を押して複数の固定サポートと係合させることにより、物体を画定された位置へ横方向に移動するよう作用させることができる。物体の下側をサポートするよう複数の追加の固定サポートを提供することもできる。
【０００９】
有利なことに、少なくとも１つの固定サポートおよび少なくとも１つのバイアスサポートは、物体の運動の各６つの自由度がわずか１つの制約で提供するよう構成されている。このようにして、物体は移動しないように制約されるが、過度には制約されない。これにより、固定装置が物体に何らか方法で、歪みまたは変形を引き起こす力を付加させることを防止する。当業者は、提供され得るサポートのさまざまな構成を認識するであろう。
【００１０】
好都合なことに、複数のサポートは、複数のフローティングサポートを含む。上記で説明したように、各フローティングサポートは、フローティングサポートエレメントと、フローティングサポートエレメントを固定する（すなわち、適切な位置にロックする）ことが可能であるロック機構とを含む。有利なことに、各フローティングサポートはバイアス装置を含む。バイアス装置は、ばねまたは同様のバイアスエレメントを含むことができる。バイアス装置は、アクチュエータがロック解除されると、好ましくは、物体が保持されることになる領域に向かってフローティングサポートエレメントをバイアスする。つまり、各フローティングサポートエレメントは、物体に向かってバイアスされることができる。好都合なことに、各バイアス装置によって付加されるバイアス力は、物体が固定装置によって保持されていない場合に、フローティングサポートエレメントが完全に延伸した状態に達するには十分である。バイアス力は、軽い圧力が付加された場合にフローティングサポートエレメントが移動することが可能となるよう十分に軽いことが好ましい。好都合なことに、各バイアス装置によって付加されるバイアス力は、物体にいかなる実質的な歪みを引き起こすことなく物体に接触すると、付加されたフローティングサポートエレメントを格納することが可能となるよう十分に低い。
【００１１】
各フローティングサポートは、ベースに対してフローティングサポートエレメントを固定するためのロック機構を含んでいる。ロック機構は、例えば、コンピュータコントローラの制御下で、自動的に作動可能であることが好ましい。複数のフローティングサポートが提供されると、各フローティングサポートのロック機構が別々に制御されることができる。あるいは、複数のフローティングサポートのすべてのロック機構は、適切な制御命令を受信すると同時にアクティベートされるよう結び付けられることができる。有利なことに、ロック機構は、フローティングサポートエレメントをベースに対して固定するための空気アクチュエータを含む。このようにして、圧縮空気の供給は、（複数の）空気アクチュエータをロックおよびロック解除するようを制御することが可能である。ロック機構をロックおよびロック解除するよう必要に応じてオンおよびオフできるような圧縮空気供給は、作業場および生産施設でよく利用される。関連する（例えば、計測装置の）コンピュータコントローラは、必要に応じて圧縮空気供給をオンおよびオフにするように構成されることができる。あるいは、ロック機構は、電動アクチュエータ（例えば、ピエゾ抵抗エレメント、電磁石など）を含み得る。実際には、任意のタイプのロック機構を提供し得る。
【００１２】
各フローティングサポートは、アクチュエータがロックされた場合に、物体に追加の機械的サポートを有利に提供する。つまり、ロックされたフローティングサポートエレメントは、物体に係合し、サポートを支援する。この追加の機械的サポートは、物体と関連する検査装置との間の接触期間に提供されることができる。詳細には、提供される追加の機械的サポートは、測定されている場合、そうでなければ起こるであろう物体の変形を防止することができる（例えば、測定の間、物体に接触するよう押し付けられる歪曲可能なスタイラスを備えた測定プローブを使用している）。フローティングサポートは、固定装置によって保持される物体の特定の領域に追加のサポートを提供するよう設置することができる。例えば、追加のサポートは、他の（例えば、固定された）サポートによって十分にサポートされていない物体のエッジまたは不可欠な形状の近くに提供されることができる。あるいは、フローティングサポートは、不均一または複雑な表面を有する物体をサポートするようにまとまって提供されることができる。例えば、固定装置は、カスタムメイドの医療用インプラント、プレートまたはジョイントなどのカスタム品または特注品をサポートするよう使用され得る。
【００１３】
有利なことに、複数のサポートは、ベースに取り外し可能に取り付けることができ、それによって、固定装置の構成を保持されるべき異なる物体に対して調整されることを可能とする。つまり、固定装置は、さまざまなサポートの少なくともいくつかがベースに対して（例えば、異なる物体を保持するよう）再配置されることができる、リコンフィギュアブル固定装置であってよい。あるいは、複数のサポートは、ベース上の固定された場所に提供される。このようにして、部品または一連の類似部品用にカスタム固定装置が提供されることができる。有利なことに、固定装置は、検査用に家電製品のコンポーネントを保持するためのものである。例えば、携帯電話のガラススクリーンやカバーなどである。
【００１４】
本発明の固定装置は、さまざまな目的に使用されることができる。好都合なことに、固定装置は、検査プロセスの間に物体を保持することに使用される（例えば、物体と接触させたスタイラスを有する測定プローブを使用している）。したがって、計測装置は、上述の固定装置を備えて提供されることができる。計測装置は、固定装置によって保持されている測定される物体に対して、移動することができる測定プローブを備えることができる。測定プローブは、物体に接触するために歪曲可能なスタイラスを含むことができる。測定プローブは、タッチトリガープローブであってよい。測定プローブは、スキャンプローブであってよい。また、計測装置は、物体を固定装置に載せ、且つそれを固定装置から取り出すための取扱システム（例えば、ロボット）を含むことができる。
【００１５】
本発明の第２の態様は、ベースから延びる複数のサポートを含み、複数のサポートの少なくとも１つは、フローティングサポートエレメントと、ロック機構とを含む、フローティングサポートであることを特徴とする固定装置を使用して物体を保持するための方法を備え、（ｉ）物体を固定装置における所定の位置に配置し、物体を、所定の位置への配置されている間にフローティングサポートエレメントに係合して移動するステップと、（ｉｉ）ベースに対してフローティングサポートエレメントを固定するよう各フローティングサポートのロック機構を作動させるステップとを備える方法、含む。この方法は、対応する装置について上述したいずれかの特徴を含むことができる。
【図面の簡単な説明】
【００１６】
ここで、添付の図面を参照して、単に一例として本発明を説明する。
【図１】本発明の固定装置の斜視図である。
【図２】図１の装置の側面図である。
【図３】図１の装置の下側の図である。
【図４】図１のフローティングピンの拡大側面図である。
【図５】図１から図４の固定装置によってサポートされるガラスコンポーネントの上面図である。
【図６】座標測定機の土台上に取り付けられた固定装置を図示している。
【００１７】
図１は、本発明の固定装置２を図示する。この装置は、本実施形態において、概して矩形形状を有するアルミニウムのプレートであるベース４を備える。ベース４は、接触ベースの検査手順の間に保持することを意図とする、概して矩形のガラスの断片（図１には不図示）よりもわずかに大きい寸法になっている。
【００１８】
ベース４は、ベース４から上方に延びる複数のサポートを有する。サポートは、第１の固定サポートエレメント６と、第２の固定サポートエレメント８と、第３の固定サポートエレメント１０とを含む。第１の固定サポートエレメント６および第３の固定サポートエレメント１０は、対向する角の近くの矩形ベース４の第１の長辺５上に配置される。その一方で、第２の固定サポートエレメント８は、ベース４の第２の長辺７に沿って略中間に配置される。したがって、第１の固定サポートエレメント６、第２の固定サポートエレメント８、および第３の固定サポートエレメント１０は、三角形で離間され、それらの上に配置されるガラス板をサポートするよう構成される。
【００１９】
また、ベース４は、矩形ベース４の第１の長辺５上に配置された第４の固定サポートエレメント１２と、第５の固定サポートエレメント１４とを含む。また、バイアスサポート１６は、ベース４の第２の長辺７に沿った中間に提供される。バイアスサポート１６は、ベース４から上方に延びるケーシング１７と、ベース４に平行な方向に前後に可動となるような方法でケーシング１７によって保持されるサポートエレメント１８とを含む。ばね２０（図１では不可視）は、サポートエレメント１８を内側に（すなわち、ベース４の中心に向かって）バイアスするバイアス装置として作用する。第４の固定サポートエレメント１２および第５の固定サポートエレメント１４、ならびにバイアスサポートエレメント１８は、第１の固定サポートエレメント６、第２の固定サポートエレメント８、および第３の固定サポートエレメント１０よりもベース４からわずかに遠くへ延びる。したがって、第１の固定サポートエレメント６、第２の固定サポートエレメント８、および第３の固定サポートエレメント１０の上に配置されたガラス板は、バイアスサポートエレメント１８によって押されて第４の固定サポートエレメント１２および第５の固定サポートエレメント１４に接触することになる。ばね２０によって付加されるバイアス力は、固定装置によって保持されるガラス板の平面内にあり、バイアス力の大きさは、ガラス板が歪まないことを確実にするよう選択される。また、複数のロケーティングエレメント２２は、ガラス板がベース上の中央に配置されることを確実にするよう矩形ベース４の短いエッジ上に提供される。
【００２０】
また、固定装置２は、第１のフローティングサポート３０と、第２のフローティングサポート３２、と第３のフローティングサポート３４とを備える。第１のフローティングサポート３０は、第１のフローティングサポートエレメント４０と、第１のフローティングサポート４０を上方に（すなわち、ベース４から離れる方向に）軽くバイアスするために第１のばね４２とを含む。また、第１のフローティングサポート３０は、圧縮空気の供給によって作動された場合、第１のフローティングサポートエレメント４０と係合することができ、適切な位置にロックすることができる（すなわち、ベース４に対して第１のフローティングサポートエレメント４０の移動を防止するよう）、第１の空気ロック機構４４（図１におけるベース４の下方に示される）を含む。第２のフローティングサポート３２は、第２のフローティングサポートエレメント５０と、第２のばね５２と、第２の空気ロック機構５４とを含む。第３のフローティングサポート３４は、第３のフローティングサポートエレメント６０と、第３のばね６２と、第３の空気ロック機構６４とを含む。第２のフローティングサポート３２および第３のフローティングサポート３４は、第１のフローティングサポート３０と同様な方法で動作する。第１のフローティングサポート３０、第２のフローティングサポート３２、および第３のフローティングサポート３４は、第１の固定サポートエレメント６、第２の固定サポートエレメント８、および第３の固定サポートエレメント１０の三角形の配列を補完する、三角形の配列で離間される。
【００２１】
図２は、図１に示される固定装置のＩ方向から見た側面図である。図３は、図１に示される固定装置の下側の図である。さまざまな図は、共通の参照番号を共有している。さらに図４および図５を参照すると、ガラス板７０を保持するための固定装置の使用が説明されている。使用の際、ガラス板７０は、以下の方法で固定装置に固定される。サポートエレメント１８は、それをベース４から離されて格納される。次に、ガラス板は、位置決めエレメント２２、第４の固定サポートエレメント１２、第５の固定サポートエレメント１４、ならびにバイアスされたサポートエレメント１８によって画定される、横方向領域内の第１の固定サポートエレメント６、第２の固定サポートエレメント８、および第３の固定サポートエレメント１０の上に配置される。この時点で、固定手順において、第１のフローティングサポートエレメント４０、第２のフローティングサポートエレメント５０、および第３のフローティングサポートエレメント６０は、ベース４から離れる方向に軽くバイアスされているが、可動である（すなわち、第１の空気ロック機構４４、第２の空気ロック機構５４、および第３の空気ロック機構６４は、ディアクティベート済みである）。ガラス板７０は、第１の固定サポートエレメント６、第２の固定サポートエレメント８、および第３の固定の固定サポートエレメント１０の上に配置された場合、第１のフローティングサポートエレメント４０、第２のフローティングサポートエレメント５０、および第３のフローティングサポートエレメント６０と係合し、それらをベース４に向けて押し戻す。第１のフローティングサポート３０、第２のフローティングサポート３２、および第３のフローティングサポート３４のばねによって付加されるバイアス力は、フローティングサポートエレメントを移動させている場合にガラス板７０の実質的な歪みが起きないくらい十分軽いものである。次に、バイアスされたサポートエレメント１８の収縮が反転して、これにより、サポートエレメント１８がガラス板７０を押して、対向する第４の固定サポートエレメント１２および第５の固定サポートエレメント１４と係合させる。このようにして、ガラス板７０は、歪められたり過度に制約されたりすることなく、固定装置によって適切に保持される。これは、図４および図５に示される。
【００２２】
測定装置によってガラス板７０に下向きの力を付加すると、それが第１の固定サポートエレメント６、第２の固定サポートエレメント８、および第３の固定サポートエレメント１０の上に載っているだけである場合、ガラス板７０に歪みを引き起こすことがある。曲げの量は、ガラス板７０に力が付加された場所に依拠することになる。例えば、図５に示される点８０への力の付加が、ガラス板の角を曲げることがある。しかしながら、（第２の固定サポートエレメント８に近い）点８２に同じ大きさの力を付加しても、目立った曲がりは起こりそうにない。第１のフローティングサポートエレメント４０、第２のフローティングサポートエレメント５０、および第３のフローティングサポートエレメント６０は、ガラス板に追加のサポートを提供するように配置される。したがって、ガラス板が固定装置に配置された後、第１のフローティングサポートエレメント４０、第２のフローティングサポートエレメント５０、および第３のフローティングサポートエレメント６０は、ロックされる。つまり、第１の空気ロック機構４４、第２の空気ロック機構５４、および第３の空気ロック機構６４は、第１のフローティングサポートエレメント４０、第２のフローティングサポートエレメント５０、および第３のフローティングサポートエレメント６０をベースに対して適切な位置にロックすべくアクティベートされる。上記で説明したように、第１のフローティングサポートエレメント４０、第２のフローティングサポートエレメント５０、および第３のフローティングサポートエレメント６０は、前もってガラス板に接触していて、ガラス板によってベース４に向かって押されている。したがって、第１のフローティングサポートエレメント４０、第２のフローティングサポートエレメント５０、および第３のフローティングサポートエレメント６０は、それらがロックされた場合にガラス板７０の下側に追加のサポートを提供するが、ガラス板７０にいかなる歪曲力を付加することはない。
【００２３】
したがって、上述の固定装置は、接触ベースの検査プロセスの間にガラス板７０の追加のサポートを可能とするが、ガラス板７０を過度に制約または歪曲させないことが分かる。より詳細には、第１のフローティングサポートエレメント、第２のフローティングサポートエレメント、および第３のフローティングサポートエレメントがロックされた後、ガラス板７０は、その下側で６つの位置でサポートされる。したがって、ＣＭＭによってサポートされる接触スキャンプローブは、付加された測定力がガラス板に実質的な歪みを引き起こすことなく、ガラス板７０と接触するよう駆動されるか、またはガラス板７０のエッジに沿ってスキャンされることが可能である。
【００２４】
図６は、上述の固定装置を使用することが可能であるフレキシブルゲージ１００を概略的に図示している。この例におけるフレキシブルゲージは、英国のグロスターシャー州ウォットンアンダーエッジのＲｅｎｉｓｈａｗ  ｐｌｃが販売している「Ｅｑｕａｔｏｒ」装置であるが、任意のタイプの計測装置（例えば、従来のＣＭＭなど）を使用することができる。
【００２５】
フレキシブルゲージは、複数のサポートストラット１０６によって、上部またはベースプラットフォーム１０４に固定される、土台１０２を含む。サポートストラット１０６は、ベースプラットフォーム１０４が土台１０２に対して固定された位置に保持されることを確実にするのに十分な剛性である。また、ベースプラットフォーム１０４は、制約付きの平行位置決め機構１１０によって可動プラットフォーム１０８に取り付けられる。したがって、ベースプラットフォーム１０４、可動プラットフォーム１０８、および平行位置決め機構１１０は、３つの軸（Ｘ，Ｙ，Ｚ）に沿った可動プラットフォーム１０８の平行移動を制御する制約付きの平行位置決め機械を形成する。
【００２６】
可動プラットフォーム１０８は、歪曲可能なスタイラス１２０を有する測定プローブ１１８を運搬する。ガラス板１３０は、上記の図１から図５を参照して記述されたタイプの固定装置１３２によって保持されて示されている。固定装置１３２は、土台１０２に固定されている。コンピュータコントローラ１２２は、装置のオペレーションを制御するために、具体的には、可動プラットフォーム１０８の動作の制御および測定プローブ１１８から測定データを受け取るために提供される。測定プローブ１１８は、英国のグロスターシャー州ウォットンアンダーエッジのＲｅｎｉｓｈａｗ  ｐｌｃで販売されているＳＰ２５プローブであり得る。ＳＰ２５測定プローブは、ローカル座標系におけるスタイラスチップの歪みの測定値を出力する、いわゆるスキャンプローブまたはアナログプローブである。プローブ１１８は、移動され（すなわち、可動プラットフォーム１０８の移動によって）、それで、スタイラスの先端は、ガラス板１３０のエッジの周りの経路をたどる。コントローラ１２２は、測定プローブ１１８からのスタイラス先端の歪みデータおよび測定プローブの位置に関する平行座標位置決め装置からのデータを受け取る。これらのデータを組み合わせて、部品の表面上の複数の点の位置を機械座標系において（つまり、固定点または機械の元の位置に対して）見つけることを可能とする。次に、これらの点を以前に取得した基準（マスター）点と比較して、ガラス板１３０が所望の許容範囲内で製造されたかを確認することができる。
【００２７】
上記は本発明の単なる例示的な実施形態であり、且つ当業者は固定装置へのさまざまな変形例が可能であることを理解するであろうことを覚えておくべきである。例えば、矩形のガラス板を保持するために固定装置が示されているが、異なる材料から作られた異なる形状の物体を保持することも可能である。また、フローティングサポート、固定サポート、および／またはバイアスサポートの数、間隔、および配置は、異なる物体および異なる測定目的に適合されることができる。検査の間に物体を保持するために上記に記述したが、固定装置は、また、異なる目的（例えば、機械加工、研磨、画像化など）のために物体を保持するために使用され得る。
【図１】
2021500556.tif 000003
【図２】
2021500556.tif 000004
【図３】
2021500556.tif 000005
【図４】
2021500556.tif 000006
【図５】
2021500556.tif 000007
【図６】
2021500556.tif 000008
【国際調査報告】
2021500556.tif 000009
2021500556.tif 000010
2021500556.tif 000011